(57)【要約】      （修正有）【課題】書籍を差し込むだけで小口部分に粘着テープが連続的に貼着され、しかも、低廉且つコンパクトで操作性に優れた書籍の立ち読みや付録物の脱落を有効に防止するための粘着テープの自動貼着装置の提供を課題とする。【解決手段】差込ゲートを下方域に設けた装置本体枠に、粘着テープを直下方向に定量送り出す一対の送りローラと、該送りローラによって送り出された粘着テープを定寸にてカットする電動カッターと、該電動カッターの進退に連動し切断された粘着テープ片の上端側を仮着保持するテープ片仮着板とを設け、差込ゲート内にあっては、書籍の差込圧に抗するよう弾性力が付勢された上下一対の貼着ローラと、その先端部が書籍の差込圧に抗するよう弾性力が付勢された上下一対の回動可能な押圧フラップとをくの字状に配設し、前記粘着テープが前記一対の貼着ローラと前記一対の押圧フラップとの間隙に送り出されるよう構成する。【選択図】図１
2017119352.tif 000002
【特許請求の範囲】
【請求項１】
被貼着物である書籍の小口中央付近に、表表紙と裏表紙に渡り粘着テープを自動貼着する装置であって、被貼着物書籍の差込ゲートを下方域に形成してなる装置本体枠に、巻回された粘着テープを差込ゲート開口側に粘着面を向け直下方向に定量送り出す左右一対の送りローラと、該送りローラによって送り出された粘着テープを定寸にてカットする電動カッターと、該電動カッターの進退に連動して切断された粘着テープ片の上側縁部分を仮着保持するテープ片仮着板とを設け、さらに差込ゲート内で粘着テープの非粘着面側にあっては回動する連結アームを介して被貼着物の差込圧に抗するよう弾性力が付勢された対向する上下一対の貼着ローラを、同じく差込ゲート内で粘着テープの粘着面側にあってはその先端部が被貼着物の差込圧に抗するよう弾性力が付勢された対向する上下一対の回動可能な押圧フラップをそれぞれ略くの字状に設けてなり、前記粘着テープが前記一対の貼着ローラと前記一対の押圧フラップとの間隙に送り出されるよう構成されたことを特徴とする粘着テープの自動貼着装置。
【請求項２】
前記一対の送りローラのうち粘着テープの粘着面に接する一方の送りローラの表面を複数の溝を刻設する等して剥離面としたことを特徴とする請求項１に記載の粘着テープの自動貼着装置。
【請求項３】
前記一対の送りローラの何れかの送りローラの回転数によって粘着テープの送り出し量を設定することができるようにしたことを特徴とする請求項１又は２に記載の粘着テープの自動貼着装置。
【請求項４】
前記テープ片仮着板の粘着テープとの接触面を弱粘着面としたことを特徴とする請求項１ないし３のいずれか１項に記載の粘着テープの自動貼着装置。
【請求項５】
前記一対の押圧フラップの先端縁を外側に折曲げ成形したことを特徴とする請求項１ないし４のいずれか１項に記載の粘着テープの自動貼着装置。
【請求項６】
前記装置本体枠の下方域に形成された差込ゲートの底面上に複数段選択的に昇降可能な差込ガイド板を配設したことを特徴とする請求項１ないし５のいずれか１項に記載の粘着テープの自動貼着装置。
【発明の詳細な説明】
【技術分野】
【０００１】
本発明は、雑誌や単行本等の書籍である被貼着物に対し、前小口及び天又は地の小口部分に、表表紙と裏表紙に渡り粘着テープを貼着することによって、立ち読みを抑制し付録物の脱落を有効に防止することを目的とした粘着テープの自動貼着装置に関する。
【背景技術】
【０００２】
従来、書店やコンビニエンスストア（コンビニ）において、単行本、雑誌、カタログ冊子等の書籍を陳列し販売するに際しては、店頭での立ち読みや付録物の脱落を防止するため、これら書籍を透明フィルムで包装したり、別途用意したシール又はテープによって小口部分を封緘したり、あるいは細紐等で結束する等の方法が採られている。
【０００３】
従来のフィルムによる包装においては、包装作業の効率化を図るため自動包装装置が用いられているのが通例で、例えば、特許文献１の如く被包物である書籍の表裏両面をシュリンクフィルムで覆った状態でシュリンクフィルムの後方縁を溶着及び溶断して筒状に被包した後、シュリンクトンネルで加熱することでフィルムを収縮させて被包物を包装するもの等が知られている。書籍を効率的にフィルム包装するには、このような自動包装装置が必要であるため包装コストが嵩むなどの問題があり、特にコンビニや小規模書店のように取扱量やスタッフの少ない店舗ではコスト的な問題だけではなく手間がかかる等の事情からあまり採用されていない。そもそも店舗規模の如何に拘わらず、雑誌や小冊子等のように比較的安価で販売サイクルの短い書籍については、陳列時の見栄えの問題もあってフィルム包装方式は採用されていないのが実際である。
【０００４】
また、特許文献２ないし４のように、別途用意したシールやテープによって書籍の小口部分を封緘する方法、あるいは、細紐等で書籍全体を結束する等の方法にあっては、シールやテープの貼着作業や細紐等による結束作業が専ら手作業で行われるために作業効率が極めて悪く、多大な時間と煩雑な手順を要し、結果として、物的コストのみならず人的コストも高くつき、しかも陳列時の見栄えも良くないので有効な方法とはなっていない。
【０００５】
さらに、特許文献５のように、巻回されたテープ状のシール用ラベルをローラ機構によって水平方向に送り出して一定寸にカットし、これを窓孔を介して２枚板で形成された中空のガイド部の中央開口縁上に載置し、該載置されたシール用ラベルを書籍の小口に貼り付ける装置も開示されている。しかしながら、この貼着装置にあっては、中空のガイド部を構成する２枚板の間隔を書籍の厚さに合わせてその都度ボルトの固定位置を調整することによって変えなければならず、様々な厚みからなる雑多な書籍に対応させるには煩雑すぎて実際に使用するには極めて不便なものとなっている。しかも、カットされたシール用ラベルを窓孔を介して水平方向に送り出し中空ガイド部の正確な位置に載置させることはラベルの自重もあって難しく、ラベルが他所に貼り付く等して故障の原因になることは容易に推測できる。
【先行技術文献】
【特許文献】
【０００６】
【特許文献１】登録実用新案第３０６７５９２号公報
【特許文献２】実開平７−４０５３号公報
【特許文献３】特開２００２−１８７３７９号公報
【特許文献４】特開２００７−２５３５１４号公報
【特許文献５】特開２００６−６２８５６号公報
【発明の概要】
【発明が解決しようとする課題】
【０００７】
本発明は、上記従来の問題点に鑑みなされたもので、コンビニや書店にて陳列販売されている雑誌、コミック誌等の書籍について、差込ゲートより書籍を差し込むだけで自動的に小口部分に粘着テープが的確且つ連続的に貼着され、これによって陳列時の立ち読みや付録物の脱落を有効に抑制し防止することができ、しかも、低廉且つコンパクトで操作性に優れた粘着テープの自動貼着装置を提供することを課題とするものである。
【課題を解決するための手段】
【０００８】
上記課題を解決するため、請求項１の発明では、被貼着物である書籍の小口中央付近に表裏表紙に渡り粘着テープを自動貼着する装置において、被貼着物である書籍の差込ゲートを下方域に形成してなる装置本体枠に、粘着テープを差込ゲート開口側に粘着面を向け直下方向に定量送り出す左右一対の送りローラと、該送りローラによって送り出された粘着テープを定寸にてカットする電動カッターと、該電動カッターの進退に連動し切断された粘着テープ片の上端縁部分を仮着保持するテープ片仮着板とを設け、さらに、差込ゲート内で粘着テープの非粘着面側にあっては回動する連結アームを介して被貼着物である書籍の差込圧に抗するよう弾性力が付勢された上下一対の貼着ローラを、同じく差込ゲート内で粘着テープの粘着面側にあってはその先端部が被貼着物である書籍の差込圧に抗するよう弾性力が付勢された上下一対の回動可能な押圧フラップをそれぞれ略くの字状に設けてなり、さらに、前記粘着テープが前記一対の貼着ローラと前記一対の押圧フラップとの間隙に送り出されるよう構成されたことを特徴とする粘着テープの自動貼着装置とした。
【０００９】
また、請求項２の発明では、前記一対の送りローラのうち粘着テープの粘着面に接する一方の送りローラの表面を複数の溝を刻設する等して剥離面としたことを特徴とする請求項１に記載の粘着テープの自動貼着装置とした。
【００１０】
また、請求項３の発明では、前記一対の送りローラのいずれかの送りローラの回転数によって粘着テープの送り出し量を設定することができるようにしたことを特徴とする請求項１又は２に記載の粘着テープの自動貼着装置とした。
【００１１】
また、請求項４の発明では、前記テープ片仮着板の粘着テープとの接触面を弱粘着面としたことを特徴とする請求項１ないし３のいずれか１項に記載の粘着テープの自動貼着装置とした。          
【００１２】
また、請求項５の発明では、前記上下一対の押圧フラップのそれぞれの先端縁部を外側に折曲げ成形したことを特徴とする請求項１ないし４のいずれか１項に記載の粘着テープの自動貼着装置とした。
【００１３】
また、請求項６の発明では、  前記装置本体枠の下方域に形成された差込ゲートの底面上に複数段選択的に昇降可能な差込ガイド板を配設したことを特徴とする請求項１ないし５のいずれか１項に記載の粘着テープの自動貼着装置とした。
【発明の効果】
【００１４】
請求項１の発明によれば、粘着面を内側にして巻装された粘着テープが、直下に配設された左右一対の送りローラによって略くの字状に配設された上下一対の貼着ローラと上下一対の押圧フラップとの間隙に定量送り出され、さらに電動カッターにより定寸にてカットされ、同時にテープ片仮着板に粘着テープ片の上端縁部分が仮着される。これによって、粘着テープ片が差込ゲートの開口方向に粘着面を向けその自重により吊り下げられた状態で保持される。
【００１５】
また、差込ゲートから差込投入された書籍の小口部分の広がりや書籍全体の膨らみが上下一対の押圧フラップの挟圧作用によって矯正され、矯正された状態で粘着テープ片が書籍の小口縁端部に接着し、この状態を保ったまま粘着テープ片が上下一対の貼着ローラによって書籍の表表紙と裏表紙に渡り挟圧的に貼着される。これによって、付録物を介在させた書籍であっても、表裏表紙や束が広がったり膨らんだりしたままルーズに粘着テープ片が貼り付いてしまうなどの不都合を防ぎ的確な貼着が可能となっている。
【００１６】
また、差込ゲート内に設けられた上下一対の押圧フラップと上下一対の貼着ローラは、いずれも被貼着物である書籍の差込圧に抗するよう弾性力が付勢されていて、差し込まれた書籍の厚さに応じてその対となる貼着ローラ又は押圧フラップの先端当接部が開閉されるよう構成されているため、どのような厚さからなる書籍であっても、装置機構等の調整や変更をすることなくランダム且つ連続的に粘着テープの貼着作業を行うことができる。
【００１７】
すなわち、請求項１の発明によれば、差込ゲートに書籍を差し込むだけで自動的に小口部分に粘着テープ片が的確に貼着されるので、雑多な書籍をランダムに連続しての貼着作業が可能となり、しかも、構造的にシンプルな構成となっているので、低廉且つコンパクトで操作性に優れた装置とすることができ、立ち読みや付録物の脱落を有効に防止するための粘着テープの自動貼着装置として極めて有効である。
【００１８】
請求項２の発明によれば、左右一対の送りローラのうち粘着テープの粘着面に接する一方の送りローラは、その表面に複数の溝を刻設する等して剥離面としているので、該送りローラによる粘着テープの巻き込みを有効に防止することができ、粘着テープを上下一対の貼着ローラと上下一対の押圧フラップとの間に適正に送り出すことができる。
【００１９】
請求項３の発明によれば、左右一対の送りローラのいずれかの送りローラの回転数によって粘着テープの送り出し量を設定することができるよう構成されているため、被貼着物である書籍の厚さ、大きさ又は重さ等によって粘着テープの送り出し量ないし粘着テープ片の長さ寸法を適宜調整することができる。
【００２０】
請求項４の発明によれば、テープ片仮着板の粘着テープとの接触面を弱粘着面としたことにより、粘着テープ片が書籍の小口縁端に接着し貼着ローラによって貼着動作が開始される際には容易に剥離されるので、貼着ローラによる粘着テープ片の的確な貼着を妨げることはない。
【００２１】
請求項５の発明によれば、上下一対の押圧フラップの先端部をそれぞれ外側に折曲げたことにより、書籍との当接部分が角のない曲面形状となるため、書籍を押圧フラップの挟圧作用に抗して差し込んでも書籍を傷つけることはない。
【００２２】
請求項６の発明によれば、装置本体枠の下方域に形成された差込ゲートの底面上に複数段選択的に昇降自在な差込ガイド板を配設したことにより、書籍の厚さに等よって差込ゲートの高さ巾を適宜変えることができるのため、書籍を差込ガイド板上にスライドさせながら差し込む際に小口中央と粘着テープ片の長さ中央とが合わせ易くなり、表表紙と裏表紙とに貼着した粘着テープ片の長さ均衡がとれてバランスの良い貼着結果が得られる。
【図面の簡単な説明】
【００２３】
【図１】本発明装置の一実施形態を示す側面説明図
【図２】本発明装置の一実施形態における貼着テープの粘着面側の送りローラを軸架する送りローラユニットを示す斜視図
【図３】本発明装置の一実施形態を示す外観斜視図
【図４】本発明装置の一実施形態おける粘着テープが書籍に貼着されるまでの一連の動作原理図
【図５】本発明装置の一実施形態おける押圧フラップの作用を示す動作原理図
【図６】本発明装置により粘着テープを貼着した書籍の外観斜視図
【発明を実施するための形態】
【００２４】
以下、添付図面を参照して本発明の実施形態について説明する。
【００２５】
本発明にかかる粘着テープの自動貼着装置は、粘着テープＡを所定量送り出し、これを定寸に切断し、該切断された粘着テープ片ａを被貼着物である書籍Ｂの小口中央付近において表表紙と裏表紙に渡り自動貼着する装置である。
【００２６】
粘着テープＡは、ポリエステルフィルム等を基材にしてその片面に粘着剤層を有する粘着テープであって、一旦書籍Ｂに貼着した粘着テープ片ａを書籍Ｂより剥がす際に、書籍Ｂの貼着面などに糊残りや剥がれ等の不都合が生じない程度の粘着力を有する弱粘着性の粘着テープとなっている。
【００２７】
図１ないし図３により本発明装置の全体構成を説明すると、装置本体枠１は、上枠１ａと下台枠１ｃと、これら上下の枠を所定巾離間して後方背部にて連結する短巾の中枠１ｂとからなり、下台枠１ｃが上枠１ａより側面視前方に突出した形状をなすよう構成されていて、上枠１ａの前面部には後述する送りローラ３を含む送りローラユニット３０が着脱自在に装着されている。
【００２８】
また、前記上枠１ａの上端域には巻回された粘着テープＡのロール体が回転可能に保持され、上枠１ａと下台枠１ｃとが離間する間には、図示のごとく、被貼着物である書籍Ｂを差込投入するための側断面逆コ字形の空間域からなる差込ゲート２が中枠１ｂに向かって水平に形成されている。
【００２９】
また、粘着テープＡのロール体の直下には、粘着テープＡの粘着面を書籍Ｂの差込口側に向け直下方向に定量送り出すための左右一対の送りローラ３、４が相互に接した状態で配設されている。一方の送りローラ３は、粘着テープＡの粘着面側に位置し、送りローラ４方向にスプリング付勢されていて、図２に示すように、ギヤ７が送りローラ４側に在るギヤ（図示せず）と歯合して支軸５を介し反時計回り方向に回転するローラで、ローラ表面には複数の横溝３ａとプーリ８との間に掛架された丸ベルト９がローラ表面から突出しないような周溝３ｂとが適宜刻設されていてローラ表面を剥離面としている。他方の送りローラ４は、粘着テープＡの非粘着面側に位置し、駆動モータにより回転するギア（図示せず）及び支軸６を介して時計回り方向に回転するローラで、シリコンフィルム等によってその表面が被覆されている。    
【００３０】
なお、送りローラ３と送りローラ４とによって送り出される粘着テープＡの送り出し量は、送りローラ３又は送りローラ４のいずれかの回転数によって調整できるよう設計されている。
【００３１】
符号１０は、粘着テープＡの粘着面側に配設されていて、送り出された粘着テープＡを定寸にてカットする進退動する刃先１１を備えた電動カッターである。
【００３２】
符号１２は、その先端が電動カッター１０の刃先１１より僅かに突出していて電動カッター１０の進退に連動して切断された粘着テープ片ａの上端側部分を仮着保持するテープ片仮着板であって、先端面には軟質ウレタンフォームシート等の弱粘着性材１３が付着されている。
【００３３】
符号１４は、粘着テープＡの非粘着面近傍に配設されていて、粘着テープＡの切断時にテープ片仮着板１２の先端面（弱粘着性材１３の先端面）とで粘着テープ片ａを挟持するよう配設された制止板である。
【００３４】
そして、装置本体枠１を構成する上枠１ａと下台枠１ｃとの中間空域によって形成された差込ゲート２内の空間域には、粘着テープＡの非粘着面側にあって、それぞれ支軸１９、２０を支点として回動する連結アーム１７、１８の先端部に相互に対向する上下一対の貼着ローラ１５、１６が側面視略くの字状になるよう配設されている。この貼着ローラ１５、１６には連結アーム１７、１８を介し被貼着物である書籍Ｂの差込圧に抗するよう対向方向に弾性力が付勢されている。
【００３５】
同じく差込ゲート２内には、粘着テープＡの粘着面側にあって、支軸１９、２０を支点として回動し、その先端部が被貼着物である書籍Ｂの差込圧に抗するよう弾性力が付勢された対向する上下一対の回動可能な押圧フラップ２１、２２が側面視略くの字状になるよう配設されている。そして、この押圧フラップ２１、２２の先端部分は外側に折曲げられ、書籍Ｂの表紙面に接する端面が角のない曲面形となるように形成されている。
【００３６】
なお、前記一対の貼着ローラ１５、１６と一対の押圧フラップ２１、２２とは、その間隙に粘着テープＡが適正に送り出されるよう位置設定されているが、的確なテープ貼着のためには、切断された粘着テープ片ａが、押圧フラップ２１、２２によって挟圧された状態で差し込まれた書籍Ｂの小口縁に接着した直後に貼着ローラ１５、１６による貼着動作がなされるよう、貼着ローラ１５、１６と押圧フラップ２１、２２の配設は、そのスイング先端が粘着テープ片ａに接触しない程度に近接した位置に設定するのが好ましい。
【００３７】
符号２３は、装置本体枠１の下台枠１ｃの上面部（差込ゲート２を構成する底面部）上に配設された差込ガイド板で、図示のごとく、その裏面に逆勾配面を形成する略台形状で中間に水平断面が形成された係合部材２４と摺動内管２７とが着設されている。そして、この差込ガイド板２３は、下台枠１ｃ内に設けられスライドレバー２６によって左右に平行移動する段部材２５と前記係合部材２４との係合作用、及び同じく下台枠１ｃ内に設けた摺動外管２８と前記摺動内管２７の上下摺動によって複数段選択的に昇降可能とされている。
【００３８】
次に、以上のような構成からなる本発明装置の一連の動作を図４ないし図６に基づいて説明すると、図４（ａ）は、貼着作業を始める前のスタンバイ状態を示したもので、先ず、予め粘着テープＡのロール体を装置本体枠１の上方域に回転可能に装着し、粘着テープＡを粘着面が書籍Ｂの差込側に向くよう反時計回りに回転させ送りローラ３と送りロ−ラ４との間に繰り出す。
【００３９】
次いで、送りローラ３、４の回転駆動によって粘着テープＡの先方を差込ゲード２内の貼着ローラ１５、１６と押圧フラップ２１、２２との間隙に送り出し、所定量送り出されたところで電動カッター１０が作動し粘着テープＡの先方部分を切断して定寸の粘着テープ片ａとし、同時的に電動カッター１０の進退に連動してテープ片仮着板１２がテープ方向に水平進出して弱粘着性材１３の先端面が粘着テープＡの粘着面に当接し、制止板１４との間で粘着テープ片ａの上端縁部分を挟持してこれを仮着する。これによって、粘着テープ片ａは自重により直下に吊り下げられた状態で保持され貼着作業の開始が可能となる。これら一連の動作は、粘着テープＡの繰り出しまでは手作業によるが、以後の粘着テープＡの送り出しから粘着テープ片ａの仮着吊り下げに至るまでの動作は自動的に行われるよう設定されている。
【００４０】
図４（ｂ）は、被粘着物である書籍Ｂを対の押圧フラップ２１、２２に当接するまで差し込んだ状態を示したもので、この状態からさらに書籍Ｂを差し込んでいくと、書籍Ｂは押圧フラップ２１、２２による挟圧作用によって小口部分の広がり等が矯正され、矯正された状態のまま粘着テープ片ａの粘着面に当接する。
【００４１】
図４（ｃ）は、書籍Ｂを一対の押圧フラップ２１、２２間に、さらに一対の貼着ローラ１５，１６間に差し込んでいった状態を示したもので、前動作により小口部分が矯正された書籍Ｂは、押圧フラップ２１、２２及び貼着ローラ１５、１６の挟圧作用によって、表紙や束の広がりや膨らみが規整されながらその小口部分を巻き込むように表表紙と裏表紙に渡り折り曲げられた粘着テープ片ａが貼着される。
【００４２】
図４（ｄ）は、前動作により小口部分に粘着テープ片ａが確実に貼着された後、貼着ローラ１５、１６及び押圧フラップ２１、２２から書籍Ｂを引き抜いた直後の状態を示したもので、この時、自動的に送りローラ３、４が回転駆動し、粘着テープＡの先方を差込ゲード２内に送り出し、所定量送り出されたところで電動カッター１０によって粘着テープＡを切断して定寸の粘着テープ片ａとし、同時的にテープ片仮着板１２が粘着テープ片ａの上端側部分を挟持してこれを仮着保持する。すなわち、図１（ａ）で示したスタンバイ状態を再現して次の貼着作業に備える。したがって、粘着テープＡを装置本体枠１から取り外さないかぎり、書籍Ｂの大きさや種類にかかわらずランダムに貼着作業を連続的に行うことができる。
【００４３】
図５は、書籍Ｂの束間に付録物Ｃを介在させた際の押圧フラップ２１、２２の作用効果を示したものである。図５（ａ）（ｂ）は、同押圧フラップがない場合の粘着テープ片ａの貼着状態を示したもので、押圧フラップ２１、２２がないと、書籍Ｂの表紙や束の広がりや膨らみを十分挟圧規整することができずに粘着テープ片ａがルーズに貼着されてしまい、仮に粘着テープ片ａを前小口、天小口及び地小口などの複数箇所に貼着したとしても付録物Ｃの束間での遊動による損傷や脱落を有効に防止することはできない。
【００４４】
これに対し、図５（ｃ）ないし（ｅ）で示すように、押圧フラップ２１、２２を設けた場合にあっては、押圧フラップ２１、２２の挟圧作用によって、書籍Ｂの小口部分のみならず表紙や束など書籍Ｂ全体の広がりや膨らみを規整し付録物Ｃを束間で確実に挟持することができる。さらに図示のごとく、表紙が束より突出しているような書籍Ｂの場合であっても、表紙突出部分を内方に折り曲げた状態にて粘着ローラ１５、１６による粘着テープ片ａの貼着ができるので、付録物Ｃの束間での遊動や抜け落ちを有効に防止することができる。
【産業上の利用可能性】
【００４５】
以上のように、本発明に係る粘着テープの自動貼着装置は、被貼着物である書籍を差込ゲートに差し込むだけで自動的且つランダムに書籍の小口部分への粘着テープの貼着を連続的に行うことができ、しかも、シンプルな構成となっているため、低廉且つコンパクトで操作性に優れた粘着テープの自動貼着装置とすることができる。特に、コンビニや小規模書店にあっては、レジカウンター等の狭い場所でも置いておくことができ、販売スタッフが閑散時を見計らって貼着作業ができるので、これらの店舗での陳列時の立ち読みや付録物の脱落を有効に防止するために使用する装置としては極めて有用である。
【符号の説明】
【００４６】
Ａ‥‥粘着テープ
ａ‥‥粘着テープ片
Ｂ‥‥書籍
Ｃ‥‥付録物
１‥‥装置本体枠
１ａ‥‥上枠
１ｂ‥‥中枠
１ｃ‥‥下台枠
２‥‥差込ゲート
３‥‥送りローラ
３ａ‥‥横溝
３ｂ‥‥周溝
４‥‥送りローラ
１０‥‥電動カッター
１１‥‥刃先
１２‥‥テープ片仮着板
１３‥‥弱粘着性材
１４‥‥制止板
１５‥‥貼着ローラ（上側）
１６‥‥貼着ローラ（下側）
１７‥‥連結アーム（上側）
１８‥‥連結アーム（下側）
２１‥‥押圧フラップ（上側）
２２‥‥押圧フラップ（下側）
２３‥‥差込ガイド板
２４‥‥係合部材
２５‥‥段部材
２６‥‥スライドレバー
２７‥‥摺動内管
２８‥‥摺動外管
３０‥‥貼着ローラユニット
【図１】
2017119352.tif 000003
【図２】
2017119352.tif 000004
【図３】
2017119352.tif 000005
【図４】
2017119352.tif 000006
【図５】
2017119352.tif 000007
【図６】
2017119352.tif 000008